(57)【要約】      （修正有）【課題】メンテナンスが必要な横方向細断機構を装置本体外に取り出し、および装置本体内に戻すことを容易になしうるシュレッダを提供する。【解決手段】第１のディスクカッタローラ６ａと第２のディスクカッタローラ６ｂとからなる縦方向細断機構６と、横方向細断機構７とを備え、横方向細断機構７が、第２のディスクカッタローラ６ｂの後方位置において、スライドレールを有し、該スライドレールが該装置本体２に備えられたガイドレールに載置されて該装置本体２の後面板に開かれた開口より出し入れ可能かつ押し込まれた位置で固定されるように設けられた可動ブラケット７ａと、可動ブラケット７ａに回転可能に両端支持されたスパイラルカッタ７ｂと、可動ブラケット７ａに位置調整可能に固定されスパイラルカッタ７ｂと協働して前記縦方向に細断された紙葉類を横方向に細断するフラットカッタと、を備えてなる。【選択図】図１
0003182640.tif 000002
【実用新案登録請求の範囲】
【請求項１】
装置本体内に、第１のディスクカッタローラと第２のディスクカッタローラとで協働して紙葉類を縦方向に細断する縦方向細断機構と、スパイラルカッタとフラットカッタとが前記縦方向に細断された紙葉類を横方向に細断する横方向細断機構とを備え、
前記横方向細断機構は、
前記第２のディスクカッタローラの後方位置において前記装置本体と切り離されていて、スライドレールを有し、該スライドレールが該装置本体に備えられたガイドレールに載置されて該装置本体の後面板に開かれた開口より出し入れ可能かつ押し込まれた位置で固定されるように設けられた可動ブラケットを備え、
該可動ブラケットに、前記スパイラルカッタを回転可能に両端支持すると共に、前記フラットカッタを位置調整可能に備えてなる、
ことを特徴とするシュレッダ。
【考案の詳細な説明】
【技術分野】
【０００１】
本考案は、細断機構により不要な紙葉を切り刻むシュレッダに関し、特に、細断機構の配置構造に関する。
【背景技術】
【０００２】
特許文献１に記載されたシュレッダは、紙葉類を縦方向に細断する一対の第１のディスクカッタローラよりなる縦方向細断機構と、縦方向に細断された紙葉類をさらに横方向に細断するスパイラルカッタとフラットカッタとからなる横方向細断機構とを、装置本体内に一体的に備えている。
【０００３】
ディスクカッタローラからなる縦方向細断機構は、４，５年使用しても切れ味が落ちることはないのに対し、スパイラルカッタとフラットカッタとからなる横方向細断機構は、１年使用すると切れ味が落ちるので、１年経過する毎にスパイラルカッタとフラットカッタを研磨するメンテナンスが必要になる。
【先行技術文献】
【特許文献】
【０００４】
【特許文献１】特開２００１−１３７７３４号公報
【考案の概要】
【考案が解決しようとする課題】
【０００５】
しかしながら、特許文献１に記載されたシュレッダによれば、縦方向細断機構と横方向細断機構とを装置本体内に一体的に備えた構成であり、重量が大変大きい。細断機構が装置本体内に収まった状態で、スパイラルカッタとフラットカッタについて切れ味を回復する研磨や位置調整等のメンテナンスを行うことは難しい。メンテナンスを行うには、細断機構についてレール上を移動しユニット半体を装置本体に引き出す必要があるが、細断機構が極めて重いため、細断機構の装置本体外への取り出し再取付けをサービスマン一人で行うことはできない。ときには重量物吊上げ装置を必要とする。このため、従来において、メンテナンスはシュレッダを工場に運んで行っていた。
【０００６】
本考案は、上述した点に鑑み案出されたもので、メンテナンスが必要な横方向細断機構を装置本体外に取り出し、および装置本体内に戻すことをサービスマン一人で容易に行いうるシュレッダを提供することを目的とする。
【課題を解決するための手段】
【０００７】
上記課題を解決するために、本考案のシュレッダは、装置本体内に、第１のディスクカッタローラと第２のディスクカッタローラとで協働して紙葉類を縦方向に細断する縦方向細断機構と、スパイラルカッタとフラットカッタとが前記縦方向に細断された紙葉類を横方向に細断する横方向細断機構とを備え、前記横方向細断機構は、前記第２のディスクカッタローラの後方位置において前記装置本体と切り離されていて、スライドレールを有し、該スライドレールが該装置本体に備えられたガイドレールに載置されて該装置本体の後面板に開かれた開口より出し入れ可能かつ押し込まれた位置で固定されるように設けられた可動ブラケットを備え、該可動ブラケットに、前記スパイラルカッタを回転可能に両端支持すると共に、前記フラットカッタを位置調整可能に備えてなる、を備えてなる。
【考案の効果】
【０００８】
本考案によれば、スパイラルカッタとフラットカッタについて切れ味を回復する研磨や位置調整等のメンテナンスが必要な横方向細断機構を装置本体外に取り出し、および装置本体内に戻すことをサービスマン一人で容易に行いうるシュレッダを提供することができる。
【図面の簡単な説明】
【０００９】
【図１】本考案の実施形態に係るシュレッダの一動作時の要部縦断面図である。
【図２】後面板の取付状態を表した図である。
【図３】図２における後面板を取外した図である。
【図４】図１における紙葉類の進行方向断面図である。
【図５】図１におけるディスクカッタローラの外観図である。
【図６】図４におけるスパイラルカッタを取外した図である。
【図７】図１におけるスパイラルカッタを取外した図である。
【考案を実施するための形態】
【００１０】
以下、添付図面を参照して本考案の実施形態のシュレッダについて説明する。
図１に示すように、シュレッダ１は、装置本体２内の上部に、モータ（図示しない）により駆動回転され不要な紙葉を細断する複合細断機構を備え、装置本体２内の下部に、複合細断機構により細断されて落下する細断屑（紙チップ）を受け容れるごみ箱４を取り出し可能に備え、装置本体２の上面に、複合細断機構に対応する枚葉紙投入口５と、電源スイッチ（図示しない）とを備える。
【００１１】
複合細断機構は、紙葉類を縦方向に細断する縦方向細断機構６と、該縦方向細断機構６により縦方向に細断された紙葉類を横方向に細断する横方向細断機構７と、を備えてなる。
【００１２】
縦方向細断機構６は、回転軸線が互いに平行に延びる，第１のディスクカッタローラ６ａと第２のディスクカッタローラ６ｂとを備えてなる。
【００１３】
第１のディスクカッタローラ６ａは、回線軸線の方向が横方向であり、ディスク形状の第１刃部とディスク形状の第１ローラ部とが軸方向に交互に配列されてなる。第２のディスクカッタローラ６ｂは、回線軸線の方向が横方向であり第１刃部に対向するディスク形状の第２ローラ部と第１ローラ部に対向するディスク形状の第２刃部とが軸方向に交互に配列されてなる。なお、第１，第２のディスクカッタローラ６ａ，６ｂは、第１刃部間に複数枚の第１ローラ部が重ねられていると共に、第２刃部間に複数枚の第２ローラ部が重ねられていても良い。
【００１４】
第２のディスクカッタローラ６ｂは、第１のディスクカッタローラ６ａに対して前側低位置にある。すなわち、第１のディスクカッタローラ６ａと第２のディスクカッタローラ６ｂは、前者が後側上位で、後者が前側下位の斜め配置である。
第１のディスクカッタローラ６ａと第２のディスクカッタローラ６ｂは、電源スイッチのオンによりモータ（図示しない）により回転され、協働して枚葉紙投入口５より差し込まれる不要な紙葉類を縦方向に細断する。
【００１５】
横方向細断機構７は、可動ブラケット７ａと、該可動ブラケット７ａに両端支持されたスパイラルカッタ７ｂとフラットカッタ７ｃとを備えてなる。
【００１６】
可動ブラケット７ａは、第２のディスクカッタローラ６ｂの後方位置において装置本体２と切り離されていて、上下左右の四隅にスライドレール７ｄを有すると共に各スライドレール７ｄの後端に止め板７ｅを有し、これらスライドレール７ｄが該装置本体２に備えられた４つのガイドレール８に係合案内されて該装置本体２の後面板に開かれた開口１０より出し入れ可能であり、押し込まれた位置で止め板７ｅがガイドレール８に当接し、ねじ９を止め板７ｅに設けられたボルト通し孔に通してガイドレール８に設けられたねじ穴に螺合して締め付けることにより固定されるように設けられている。
【００１７】
スパイラルカッタ７ｂは、回線軸線の方向が横方向であり可動ブラケット７ａに回転可能に両端支持され回転軸心の回りに複数の螺旋刃を有する。
【００１８】
フラットカッタ７ｃは、可動ブラケット７ａに位置調整可能に固定されている。メンテナンスにおいて取り外され、再度精密に位置調整して取り付けられる。
【００１９】
スパイラルカッタ７ｂは、電源スイッチのオンによりモータ（図示しない）により回転され、フラットカッタ７ｃと協働して縦方向に細断された紙葉類を横方向に細断する。
【００２０】
装置本体２には、スパイラルカッタ７ｂを駆動回転するためのモータ（図示しない）及び該モータの回転をスパイラルカッタ７ｂの軸端に回転を伝達する歯車列が搭載され、可動ブラケット７ａが装置本体２の後面板に開かれた開口１０よりガイドレール８上の載せて押し込んだ位置で位置決め固定されたときに、スパイラルカッタ７ｂの軸端に備えられた歯車が、装置本体２側に備えられた歯車列と噛合する。
【００２１】
装置本体２の後面板に開かれた開口１０は、ねじ１２により固定される蓋板３で閉じられている。
【００２２】
上記構成のシュレッダによれば、スパイラルカッタ７ｂとフラットカッタ７ｃについて切れ味を回復する研磨や位置調整等のメンテナンスが必要な場合には、装置本体２の後面の蓋板３を外し、ねじ９を緩めてガイドレール８とスライドレール７ｄとの固定を解き、可動ブラケット７ａを掴んで外方へ引き出す。これにより、可動ブラケット７ａに支持されたスパイラルカッタ７ｂとフラットカッタ７ｃを外方に取り出すことができる。また、装置本体内に戻す場合は、可動ブラケット７ａを持ち上げてスライドレール７ｄをガイドレール８に係合させてから押し込み、ボルトを締め付ければ、スパイラルカッタ７ｂとフラットカッタ７ｃとを装置本体２内の元位置に位置決め固定することができ、蓋板３を固定する。
【００２３】
上記の横方向細断機構７の取り外し再取付けは、縦方向細断機構６と切り離されて行われるものであり、可動ブラケット７ａとスパイラルカッタ７ｂとフラットカッタ７ｃとの総重量がサービスマン一人で上げ下げできる重さであるから、サービスマン一人で行い得る。
【００２４】
＜その他の実施形態＞
本考案は、上記の実施形態に限定されるものでなく、実用新案登録請求の範囲の記載に基づいて把握される技術的範囲には、本考案の要旨を逸脱しない範囲内で種々、設計変更した形態が含まれる。
【符号の説明】
【００２５】
１  シュレッダ
２  装置本体
５  枚葉紙投入口
６  縦方向細断機構
６ａ  第１のディスクカッタローラ
６ｂ  第２のディスクカッタローラ
７  横方向細断機構
７ａ  可動ブラケット
７ｂ  スパイラルカッタ
７ｃ  フラットカッタ
７ｄ  スライドレール
８  ガイドレール
１０  開口
【図１】
0003182640.tif 000003
【図２】
0003182640.tif 000004
【図３】
0003182640.tif 000005
【図４】
0003182640.tif 000006
【図５】
0003182640.tif 000007
【図６】
0003182640.tif 000008
【図７】
0003182640.tif 000009